(57)【要約】  ３Ｄ画像表示装置として使用可能なプラズマディスプレイ装置において、プラズマディスプレイパネルに表示される３Ｄ画像をシャッタ眼鏡を通して観賞する使用者に対してクロストークを低減する。そのために、複数の放電セルで構成された画素を複数配列したプラズマディスプレイパネルに、右目用画像信号を表示する右目用フィールドと左目用画像信号を表示する左目用フィールドとを交互に繰り返して３Ｄ画像を表示するプラズマディスプレイ装置において、当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算する。
2011108261.tif 000002
【特許請求の範囲】
【請求項１】
複数の放電セルで構成された画素を複数配列したプラズマディスプレイパネルに、右目用画像信号を表示する右目用フィールドと左目用画像信号を表示する左目用フィールドとを交互に繰り返して画像を表示するプラズマディスプレイ装置の駆動方法であって、
当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算する
ことを特徴とするプラズマディスプレイ装置の駆動方法。
【請求項２】
複数の放電セルで構成された画素を複数配列したプラズマディスプレイパネルに、右目用画像信号を表示する右目用フィールドと左目用画像信号を表示する左目用フィールドとを交互に繰り返して画像を表示するプラズマディスプレイ装置の駆動方法であって、
前記プラズマディスプレイパネルの画像表示領域を複数の表示ブロックに分割し、
当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、
当該フィールドで前記第１の階調値を加算しない表示ブロックであって、かつ当該フィールドで前記第１の階調値を加算する表示ブロックに隣接する表示ブロックでは、当該フィールドで表示する画像信号に前記第１の階調値より小さい第２の階調値を加算する
ことを特徴とするプラズマディスプレイ装置の駆動方法。
【請求項３】
前記右目用フィールドおよび前記左目用フィールドのそれぞれは、１フィールドの最初のサブフィールドの輝度重みを最も大きくし、それ以降は輝度重みが順次小さくなるように各サブフィールドに輝度重みを設定し、１フィールドの最後のサブフィールドの輝度重みを最も小さくし、
１フィールドの最後のサブフィールドの初期化期間では直前のサブフィールドの動作にかかわらず前記放電セルに初期化放電を発生する強制初期化動作を行い、他のサブフィールドの初期化期間では直前のサブフィールドで書込み放電を発生した放電セルだけに初期化放電を発生する選択初期化動作を行う
ことを特徴とする請求項１または請求項２に記載のプラズマディスプレイ装置の駆動方法。
【請求項４】
複数の放電セルで構成された画素を複数配列したプラズマディスプレイパネルと、
前記プラズマディスプレイパネルを駆動する駆動回路とを備え、
右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、
当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算する
ことを特徴とするプラズマディスプレイ装置。
【請求項５】
複数の放電セルで構成された画素を複数配列したプラズマディスプレイパネルと、
前記プラズマディスプレイパネルを駆動する駆動回路とを備え、
右目用画像信号を表示する右目用フィールドと左目用画像信号を表示する左目用フィールドとを交互に繰り返して前記プラズマディスプレイパネルに画像を表示するプラズマディスプレイ装置であって、
前記駆動回路は、
前記プラズマディスプレイパネルの画像表示領域を複数の表示ブロックに分割し、
当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、
当該フィールドで前記第１の階調値を加算しない表示ブロックであって、かつ当該フィールドで前記第１の階調値を加算する表示ブロックに隣接する表示ブロックでは、当該フィールドで表示する画像信号に前記第１の階調値より小さい第２の階調値を加算する
ことを特徴とするプラズマディスプレイ装置。
【請求項６】
前記駆動回路は、
前記右目用フィールドおよび前記左目用フィールドに同期したシャッタ制御信号を出力する制御信号出力部を有する
ことを特徴とする請求項４または請求項５に記載のプラズマディスプレイ装置。
【請求項７】
複数の放電セルで構成された画素を複数配列したプラズマディスプレイパネルと、前記プラズマディスプレイパネルを駆動するとともに右目用画像信号を表示する右目用フィールドおよび左目用画像信号を表示する左目用フィールドに同期したシャッタ制御信号を出力する制御信号出力部を有する駆動回路とを備え、前記右目用フィールドと前記左目用フィールドとを交互に繰り返して前記プラズマディスプレイパネルに画像を表示するプラズマディスプレイ装置と、
前記シャッタ制御信号を受信する制御信号受信部と、右目用シャッタおよび左目用シャッタとを有し、前記シャッタ制御信号にもとづき前記右目用シャッタおよび前記左目用シャッタを開閉するシャッタ眼鏡とを備えたプラズマディスプレイシステムであって、
前記駆動回路は、
当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算する
ことを特徴とするプラズマディスプレイシステム。
【請求項８】
複数の放電セルで構成された画素を複数配列したプラズマディスプレイパネルと、前記プラズマディスプレイパネルを駆動するとともに右目用画像信号を表示する右目用フィールドおよび左目用画像信号を表示する左目用フィールドに同期したシャッタ制御信号を出力する制御信号出力部を有する駆動回路とを備え、前記右目用フィールドと前記左目用フィールドとを交互に繰り返して前記プラズマディスプレイパネルに画像を表示するプラズマディスプレイ装置と、
前記シャッタ制御信号を受信する制御信号受信部と、右目用シャッタおよび左目用シャッタとを有し、前記シャッタ制御信号にもとづき前記右目用シャッタおよび前記左目用シャッタを開閉するシャッタ眼鏡とを備えたプラズマディスプレイシステムであって、
前記駆動回路は、
前記プラズマディスプレイパネルの画像表示領域を複数の表示ブロックに分割し、
当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、
当該フィールドで前記第１の階調値を加算しない表示ブロックであって、かつ当該フィールドで前記第１の階調値を加算する表示ブロックに隣接する表示ブロックでは、当該フィールドで表示する画像信号に前記第１の階調値より小さい第２の階調値を加算する
ことを特徴とするプラズマディスプレイシステム。
【発明の詳細な説明】
【技術分野】
【０００１】
本発明は、シャッタ眼鏡を用いて立体視することができる右目用画像と左目用画像とを、プラズマディスプレイパネルに交互に表示するプラズマディスプレイ装置の駆動方法、プラズマディスプレイ装置およびプラズマディスプレイシステムに関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
また、このようなパネルを用いて立体視が可能な３次元（３  Ｄｉｍｅｎｓｉｏｎ：以下「３Ｄ」と記す）画像（以下、「３Ｄ画像」と記す）を表示し、３Ｄ画像表示装置としてプラズマディスプレイ装置を用いる方法が検討されている。【００１０】
１枚の３Ｄ画像は、１枚の右目用画像と１枚の左目用画像とで構成されている。そして、このプラズマディスプレイ装置では、３Ｄ画像をパネルに表示する際には、右目用画像と左目用画像とをパネルに交互に表示する。そして、使用者は、右目用画像を表示するフィールドと左目用画像を表示するフィールドとのそれぞれに同期して左右のシャッタが交互に開閉するシャッタ眼鏡と呼ばれる特殊な眼鏡を用いて、パネルに表示されている３Ｄ画像を観賞する（例えば、特許文献１参照）。【００１１】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される３Ｄ画像を立体視することができる。【００１２】
しかしながら、パネルで用いられている蛍光体は残光時間が長く、維持放電を終了した後も数ｍｓｅｃの間は残光が持続するという特性をもつ蛍光体材料も存在する。なお、残光とは、放電セルにおいて放電が終了した後も発光が継続する現象のことであり、残光時間とは、残光が十分に低下するまでの時間のことである。【００１３】
そのため、例えば、右目用画像を表示する期間が終了した後も、しばらくの期間、右目用画像が残像としてパネルに表示されることがある。なお、残像とは、１枚の画像を表示する期間が終了した後も、残光により、その画像がパネルに表示される現象のことである。【００１４】
そして、右目用画像の残像が消える前に左目用画像をパネルに表示すると、左目用画像に右目用画像が混じる現象が生じる。同様に、左目用画像の残像が消える前に右目用画像をパネルに表示すると、右目用画像に左目用画像が混じる現象が生じる。以下、このような現象を「クロストーク」と記す。そして、クロストークが発生すると立体視が困難になるといった課題があった。
【先行技術文献】
【特許文献】
【００１５】
【特許文献１】特開２０００−１１２４２８号公報
【発明の概要】
【００１６】
本発明は、複数の放電セルで構成された画素を複数配列したパネルに、右目用画像信号を表示する右目用フィールドと左目用画像信号を表示する左目用フィールドとを交互に繰り返して画像を表示するプラズマディスプレイ装置の駆動方法であって、当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算することを特徴とする。
【００１７】
この方法により、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００１８】
また、本発明は、複数の放電セルで構成された画素を複数配列したパネルに、右目用画像信号を表示する右目用フィールドと左目用画像信号を表示する左目用フィールドとを交互に繰り返して画像を表示するプラズマディスプレイ装置の駆動方法であって、パネルの画像表示領域を複数の表示ブロックに分割し、当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、当該フィールドで第１の階調値を加算しない表示ブロックであって、かつ当該フィールドで第１の階調値を加算する表示ブロックに隣接する表示ブロックでは、当該フィールドで表示する画像信号に第１の階調値より小さい第２の階調値を加算することを特徴とする。
【００１９】
この方法により、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２０】
また、本発明のプラズマディスプレイ装置の駆動方法では、右目用フィールドおよび左目用フィールドのそれぞれは、１フィールドの最初のサブフィールドの輝度重みを最も大きくし、それ以降は輝度重みが順次小さくなるように各サブフィールドに輝度重みを設定し、１フィールドの最後のサブフィールドの輝度重みを最も小さくし、１フィールドの最後のサブフィールドの初期化期間では直前のサブフィールドの動作にかかわらず放電セルに初期化放電を発生する強制初期化動作を行い、他のサブフィールドの初期化期間では直前のサブフィールドで書込み放電を発生した放電セルだけに初期化放電を発生する選択初期化動作を行ってもよい。
【００２１】
また、本発明は、複数の放電セルで構成された画素を複数配列したパネルと、パネルを駆動する駆動回路とを備え、右目用画像信号を表示する右目用フィールドと左目用画像信号を表示する左目用フィールドとを交互に繰り返してパネルに画像を表示するプラズマディスプレイ装置であって、駆動回路は、当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算することを特徴とする。
【００２２】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２３】
また、本発明は、複数の放電セルで構成された画素を複数配列したパネルと、パネルを駆動する駆動回路とを備え、右目用画像信号を表示する右目用フィールドと左目用画像信号を表示する左目用フィールドとを交互に繰り返してパネルに画像を表示するプラズマディスプレイ装置であって、駆動回路は、パネルの画像表示領域を複数の表示ブロックに分割し、当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、当該フィールドで第１の階調値を加算しない表示ブロックであって、かつ当該フィールドで第１の階調値を加算する表示ブロックに隣接する表示ブロックでは、当該フィールドで表示する画像信号に第１の階調値より小さい第２の階調値を加算することを特徴とする。
【００２４】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２５】
また、本発明のプラズマディスプレイ装置において、駆動回路は、右目用フィールドおよび左目用フィールドに同期したシャッタ制御信号を出力する制御信号出力部を有する構成であってもよい。
【００２６】
また、本発明は、複数の放電セルで構成された画素を複数配列したパネルと、パネルを駆動するとともに右目用画像信号を表示する右目用フィールドおよび左目用画像信号を表示する左目用フィールドに同期したシャッタ制御信号を出力する制御信号出力部を有する駆動回路とを備え、右目用フィールドと左目用フィールドとを交互に繰り返してパネルに画像を表示するプラズマディスプレイ装置と、シャッタ制御信号を受信する制御信号受信部と、右目用シャッタおよび左目用シャッタとを有し、シャッタ制御信号にもとづき右目用シャッタおよび左目用シャッタを開閉するシャッタ眼鏡とを備えたプラズマディスプレイシステムであって、駆動回路は、当該フィールドの直前のフィールドで高階調閾値以上の階調を表示し、かつ当該フィールドで低階調閾値以下の階調を表示する画素の数が画素数閾値以上存在する場合には、当該フィールドで表示する画像信号に所定の階調値を加算することを特徴とする。
【００２７】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【００２８】
また、本発明は、複数の放電セルで構成された画素を複数配列したパネルと、パネルを駆動するとともに右目用画像信号を表示する右目用フィールドおよび左目用画像信号を表示する左目用フィールドに同期したシャッタ制御信号を出力する制御信号出力部を有する駆動回路とを備え、右目用フィールドと左目用フィールドとを交互に繰り返してパネルに画像を表示するプラズマディスプレイ装置と、シャッタ制御信号を受信する制御信号受信部と、右目用シャッタおよび左目用シャッタとを有し、シャッタ制御信号にもとづき右目用シャッタおよび左目用シャッタを開閉するシャッタ眼鏡とを備えたプラズマディスプレイシステムであって、駆動回路は、パネルの画像表示領域を複数の表示ブロックに分割し、当該フィールドの直前のフィールドで高階調閾値以上の階調を表示し、かつ当該フィールドで低階調閾値以下の階調を表示する画素の数が画素数閾値以上存在する表示ブロックでは、当該フィールドで表示する画像信号に第１の階調値を加算し、当該フィールドで第１の階調値を加算しない表示ブロックであって、かつ当該フィールドで第１の階調値を加算する表示ブロックに隣接する表示ブロックでは、当該フィールドで表示する画像信号に第１の階調値より小さい第２の階調値を加算することを特徴とする。
【００２９】
これにより、３Ｄ画像表示装置として使用可能なプラズマディスプレイ装置において、パネルに表示される３Ｄ画像をシャッタ眼鏡を通して観賞する使用者に対してクロストークを低減し、画像表示品質を高めることができる。
【図面の簡単な説明】
【００３０】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムを概略的に示す図である。
【図４】図４は、本発明の実施の形態１におけるプラズマディスプレイ装置に用いるパネルの各電極に印加する駆動電圧波形を概略的に示す図である。
【図５】図５は、本発明の実施の形態１におけるプラズマディスプレイ装置のサブフィールド構成およびシャッタ眼鏡の開閉動作を概略的に示す図である。
【図６】図６は、本発明の実施の形態１におけるプラズマディスプレイ装置の残光抑制回路の一構成例を示す回路ブロック図である。
【図７Ａ】図７Ａは、右目用フィールドで表示する右目用画像の一例を概略的に示す図である。
【図７Ｂ】図７Ｂは、左目用フィールドで表示する左目用画像の一例を概略的に示す図である。
【図７Ｃ】図７Ｃは、左目用画像に右目用画像の残像がクロストークしたときのパネル１０における表示画像の見え方の一例を概略的に示す図である。
【図７Ｄ】図７Ｄは、残光抑制回路のＡＮＤゲートが「Ｈ」を出力する領域の一例を概略的に示す図である。
【図７Ｅ】図７Ｅは、現フィールドの左目用画像の輝度の階調値に所定の階調値Ｋを加算したときのパネル１０における表示画像の見え方の一例を概略的に示す図である。
【図８Ａ】図８Ａは、本発明の実施の形態２におけるパネルを複数の表示ブロックに分割する例を概略的に示す図である。
【図８Ｂ】図８Ｂは、本発明の実施の形態２におけるパネルを複数の表示ブロックに分割する例を概略的に示す図である。
【図８Ｃ】図８Ｃは、本発明の実施の形態２におけるパネル１０の各表示ブロックに画像信号に応じて第１の階調値Ｋ１または第２の階調値Ｋ２を加算するときの表示画像の見え方を概略的に示す図である。
【図９】図９は、本発明の実施の形態２におけるプラズマディスプレイ装置の残光抑制回路の一構成例を示す回路ブロック図である。
【発明を実施するための形態】
【００３１】
以下、本発明の実施の形態におけるプラズマディスプレイ装置およびプラズマディスプレイシステムについて、図面を用いて説明する。
【００３２】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３３】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００３４】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００３５】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００３６】
放電空間は隔壁３４によって複数の区画に仕切られており、表示電極対２４とデータ電極３２とが交差する部分に放電セルが形成されている。
【００３７】
そして、これらの放電セルで放電を発生し、放電セルの蛍光体層３５を発光（放電セルを点灯）することにより、パネル１０にカラーの画像を表示する。
【００３８】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００３９】
なお、パネル１０の構造は上述したものに限られるわけではなく、例えばストライプ状の隔壁を備えたものであってもよい。
【００４０】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４１】
図３は、本発明の実施の形態１におけるプラズマディスプレイ装置４０の回路ブロックおよびプラズマディスプレイシステムを概略的に示す図である。本実施の形態に示すプラズマディスプレイシステムは、プラズマディスプレイ装置４０とシャッタ眼鏡５０とを構成要素に含む。
【００４２】
プラズマディスプレイ装置４０は、パネル１０と、パネル１０を駆動する駆動回路とを備えている。駆動回路は、画像信号処理回路４１、データ電極駆動回路４２、走査電極駆動回路４３、維持電極駆動回路４４、タイミング発生回路４５、および各回路ブロックに必要な電源を供給する電源回路（図示せず）を備えている。またプラズマディスプレイ装置４０は、制御信号出力部４６を備えている。制御信号出力部４６は、使用者が使用するシャッタ眼鏡５０のシャッタの開閉を制御するシャッタ制御信号をシャッタ眼鏡５０に供給する。
【００４３】
画像信号処理回路４１は、残光抑制回路４８と、画像データ変換回路４９とを有する。残光抑制回路４８は、残光が発生したときに使用者に残像を視認し難くし、クロストークを抑制することを目的に設けている。残光抑制回路４８の詳細は後述する。画像データ変換回路４９は、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００４４】
例えば、入力された画像信号がＲ信号、Ｇ信号、Ｂ信号を含むときには、そのＲ信号、Ｇ信号、Ｂ信号にもとづき、各放電セルにＲ、Ｇ、Ｂの各階調値を割り当てる。あるいは、入力された画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづきＲ信号、Ｇ信号、Ｂ信号を算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００４５】
また、入力される画像信号が、右目用画像信号と左目用画像信号とを有する立体視用の３Ｄ画像信号であり、その画像信号をパネル１０に表示する際には、右目用画像信号と左目用画像信号とがフィールド毎に交互に画像信号処理回路４１に入力される。したがって、画像データ変換回路４９は、右目用画像信号を右目用画像データに変換し、左目用画像信号を左目用画像データに変換する。
【００４６】
タイミング発生回路４５は、水平同期信号および垂直同期信号にもとづき、各回路ブロックの動作を制御する各種のタイミング信号を発生する。そして、発生したタイミング信号をそれぞれの回路ブロック（データ電極駆動回路４２、走査電極駆動回路４３、維持電極駆動回路４４、および画像信号処理回路４１等）へ供給する。
【００４７】
また、タイミング発生回路４５は、シャッタ眼鏡５０のシャッタの開閉を制御するシャッタ制御信号を制御信号出力部４６に出力する。なお、タイミング発生回路４５は、シャッタ眼鏡５０のシャッタを開く（可視光を透過する状態になる）ときにはシャッタ制御信号をオン（「１」）にし、シャッタ眼鏡５０のシャッタを閉じる（可視光を遮断する状態になる）ときにはシャッタ制御信号をオフ（「０」）にする。また、シャッタ制御信号は、右目用画像信号を表示する右目用フィールドがパネル１０に表示されるときにオンとなり、左目用画像信号を表示する左目用フィールドがパネル１０に表示されるときにオフとなる制御信号（右目シャッタ制御信号）と、左目用画像信号を表示する左目用フィールドがパネル１０に表示されるときにオンとなり、右目用画像信号を表示する右目用フィールドがパネル１０に表示されるときにオフとなる制御信号（左目シャッタ制御信号）とからなる。
【００４８】
走査電極駆動回路４３は、初期化波形発生回路、維持パルス発生回路、走査パルス発生回路（図３には示さず）を備え、タイミング発生回路４５から供給されるタイミング信号にもとづいて駆動電圧波形を作成し、走査電極ＳＣ１〜走査電極ＳＣｎのそれぞれに印加する。初期化波形発生回路は、初期化期間に、タイミング信号にもとづいて走査電極ＳＣ１〜走査電極ＳＣｎに印加する初期化波形を発生する。維持パルス発生回路は、維持期間に、タイミング信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、タイミング信号にもとづいて走査電極ＳＣ１〜走査電極ＳＣｎに印加する走査パルスを発生する。
【００４９】
維持電極駆動回路４４は、維持パルス発生回路、および電圧Ｖｅ１、電圧Ｖｅ２を発生する回路を備え（図３には示さず）、タイミング発生回路４５から供給されるタイミング信号にもとづいて駆動電圧波形を作成し、維持電極ＳＵ１〜維持電極ＳＵｎのそれぞれに印加する。維持期間では、タイミング信号にもとづいて維持パルスを発生し、維持電極ＳＵ１〜維持電極ＳＵｎに印加する。
【００５０】
データ電極駆動回路４２は、右目用画像データおよび左目用画像データを含む画像データを構成するサブフィールド毎のデータを、各データ電極Ｄ１〜データ電極Ｄｍに対応する信号に変換する。そして、その信号、およびタイミング発生回路４５から供給されるタイミング信号にもとづき、各データ電極Ｄ１〜データ電極Ｄｍを駆動する。書込み期間では書込みパルスを発生し、各データ電極Ｄ１〜データ電極Ｄｍに印加する。
【００５１】
制御信号出力部４６は、ＬＥＤ（Ｌｉｇｈｔ  Ｅｍｉｔｔｉｎｇ  Ｄｉｏｄｅ）等の発光素子を有しており、右目用フィールドおよび左目用フィールドに同期したシャッタ制御信号を、例えば赤外線の信号に変換してシャッタ眼鏡５０に供給する。
【００５２】
シャッタ眼鏡５０は、制御信号出力部４６から出力されるシャッタ制御信号を受信する制御信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、制御信号出力部４６から供給されるシャッタ制御信号にもとづいて右目用シャッタ５２Ｒおよび左目用シャッタ５２Ｌを開閉する。右目用シャッタ５２Ｒは、右目用のシャッタ制御信号がオンのときには開き（可視光を透過し）、オフのときには閉じる（可視光を遮断する）。左目用シャッタ５２Ｌは、左目用のシャッタ制御信号がオンのときには開き（可視光を透過し）、オフのときには閉じる（可視光を遮断する）。右目用シャッタ５２Ｒおよび左目用シャッタ５２Ｌは、例えば液晶を用いて構成することができるが、本発明は、シャッタを構成する材料が何ら液晶に限定されるものではなく、可視光の遮断と透過とを高速に切り換えることができるものであればどのようなものであってもかまわない。
【００５３】
次に、パネル１０を駆動するための駆動電圧波形とその動作について説明する。本実施の形態におけるプラズマディスプレイ装置４０は、サブフィールド法によって階調表示を行う。サブフィールド法では、１フィールドを時間軸上で複数のサブフィールドに分割し、各サブフィールドに輝度重みをそれぞれ設定する。それぞれのサブフィールドは初期化期間、書込み期間および維持期間を有する。そして、サブフィールド毎に各放電セルの発光・非発光を制御することによってパネル１０に画像を表示する。
【００５４】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。したがって、画像信号に応じた組み合わせで各サブフィールドを選択的に発光させることによって様々な階調を表示し、画像を表示することができる。
【００５５】
なお、本実施の形態において、プラズマディスプレイ装置４０に入力される画像信号は、右目用画像信号と左目用画像信号とをフィールド毎に交互に繰り返す立体視用の画像信号である。そして、右目用画像信号を表示する右目用フィールドと、左目用画像信号を表示する左目用フィールドとを交互に繰り返してパネル１０に表示することで、右目用画像および左目用画像からなる立体視用の画像（３Ｄ画像）がパネル１０に表示される。
【００５６】
そのため、単位時間（例えば、１秒間）に表示される３Ｄ画像の枚数は、フィールド周波数（１秒間に発生するフィールドの数）の半分となる。例えば、フィールド周波数が６０Ｈｚであれば、１秒間に表示される右目用画像および左目用画像はそれぞれ３０枚ずつとなるため、１秒間に３０枚の３Ｄ画像が表示されることになる。そこで、本実施の形態では、フィールド周波数を通常の２倍（例えば、１２０Ｈｚ）に設定し、フィールド周波数が低い画像を表示する際に発生しやすい画像のちらつき（フリッカ）を低減している。
【００５７】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【００５８】
なお、右目用フィールドと左目用フィールドとは、表示する画像信号が異なるだけであり、１つのフィールドを構成するサブフィールドの数、各サブフィールドの輝度重み、サブフィールドの配列等のフィールドの構成は同じである。そこで、以下、「右目用」および「左目用」の区別が必要ない場合には、右目用フィールドおよび左目用フィールドを単にフィールドと略記する。また、右目用画像信号および左目用画像信号を単に画像信号と略記する。また、フィールドの構成のことを、サブフィールド構成とも記す。
【００５９】
まず、１つのフィールドの構成と各電極に印加する駆動電圧波形について説明する。右目用フィールドおよび左目用フィールドの各フィールドは複数のサブフィールドを有し、それぞれのサブフィールドは、初期化期間、書込み期間、維持期間を有する。
【００６０】
初期化期間では、放電セルに初期化放電を発生し、続く書込み期間における書込み放電に必要な壁電荷を各電極上に形成する初期化動作を行う。初期化動作には、直前のサブフィールドの動作にかかわらず放電セルに初期化放電を発生する強制初期化動作と、直前のサブフィールドの書込み期間において書込み放電を発生した放電セルだけに初期化放電を発生する選択初期化動作とがある。
【００６１】
書込み期間では、走査電極２２に走査パルスを印加するとともにデータ電極３２に選択的に書込みパルスを印加し、発光するべき放電セルに選択的に書込み放電を発生して、続く維持期間で維持放電を発生するための壁電荷をその放電セル内に形成する書込み動作を行う。
【００６２】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【００６３】
本実施の形態では、１フィールドを５つのサブフィールド（サブフィールドＳＦ１、サブフィールドＳＦ２、・・・、サブフィールドＳＦ５）で構成する例を説明する。
【００６４】
サブフィールドＳＦ１〜サブフィールドＳＦ５の各サブフィールドはそれぞれ（１６、８、４、２、１）の輝度重みを有する。このように、本実施の形態では、フィールドの最初に発生するサブフィールドＳＦ１を輝度重みの最も大きいサブフィールドとし、それ以降は輝度重みが順次小さくなるように各サブフィールドに輝度重みを設定する。
【００６５】
そして、本実施の形態では、フィールドの最後に発生するサブフィールドＳＦ５の初期化期間では、直前のサブフィールドの動作にかかわらず放電セルに初期化放電を発生する強制初期化動作を行い、サブフィールドＳＦ１〜サブフィールドＳＦ４の初期化期間では、直前のサブフィールドで書込み放電を発生した放電セルだけに初期化放電を発生する選択初期化動作を行う。これにより、画像の表示に関係のない発光はサブフィールドＳＦ５における強制初期化動作の放電にともなう発光のみとなる。したがって、維持放電を発生しない黒表示領域の輝度である黒輝度は強制初期化動作における微弱発光だけとなり、パネル１０にコントラストの高い画像を表示することが可能となる。
【００６６】
しかし、本実施の形態は、１フィールドを構成するサブフィールドの数や各サブフィールドの輝度重みが上記の値に限定されるものではない。また、画像信号等にもとづいてサブフィールド構成を切り換える構成であってもよい。
【００６７】
図４は、本発明の実施の形態１におけるプラズマディスプレイ装置に用いるパネル１０の各電極に印加する駆動電圧波形を示す図である。図４には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形を示す。
【００６８】
また、図４には、主にサブフィールドＳＦ１とサブフィールドＳＦ５の駆動電圧波形を示している。サブフィールドＳＦ５は強制初期化動作を行うサブフィールドであり、サブフィールドＳＦ１〜サブフィールドＳＦ４は選択初期化動作を行うサブフィールドである。したがって、サブフィールドＳＦ５と、サブフィールドＳＦ１〜サブフィールドＳＦ４では、初期化期間に走査電極２２に印加する駆動電圧の波形形状が異なる。
【００６９】
なお、サブフィールドＳＦ２〜サブフィールドＳＦ４における駆動電圧波形は、維持期間における維持パルスの発生数が異なる以外はサブフィールドＳＦ１の駆動電圧波形とほぼ同様である。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【００７０】
まず、サブフィールドＳＦ１について説明する。
【００７１】
サブフィールドＳＦ１の初期化期間では、維持電極ＳＵ１〜維持電極ＳＵｎには電圧Ｖｅ１を、データ電極Ｄ１〜データ電極Ｄｍには電圧０（Ｖ）を、それぞれ印加する。走査電極ＳＣ１〜走査電極ＳＣｎには放電開始電圧未満となる電圧（例えば、電圧０（Ｖ））から負極性の電圧Ｖｉ４に向かって緩やかに下降する傾斜波形電圧を印加する。電圧Ｖｉ４は、維持電極ＳＵ１〜維持電極ＳＵｎに対して放電開始電圧を超える電圧に設定する。
【００７２】
この傾斜波形電圧を走査電極ＳＣ１〜走査電極ＳＣｎに印加する間に、直前のサブフィールド（この場合、直前のフィールドの最終サブフィールドであるサブフィールドＳＦ５となるが、図４には示さず）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正極性の壁電圧が蓄積されているので、この壁電圧の過剰な部分が放電され、データ電極Ｄｋ上の壁電圧は書込み動作に適した壁電圧に調整される。この電極上の壁電圧とは、電極を覆う誘電体層上、保護層上、蛍光体層上等に蓄積された壁電荷により生じる電圧を表す。
【００７３】
一方、直前のサブフィールド（サブフィールドＳＦ５）の維持期間に維持放電を発生しなかった放電セルでは、初期化放電は発生せず、それ以前の壁電圧が保たれる。
【００７４】
このように、サブフィールドＳＦ１における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【００７５】
以上により、サブフィールドＳＦ１の初期化期間における初期化動作、すなわち、選択初期化動作が終了する。
【００７６】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃを印加する。
【００７７】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【００７８】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【００７９】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【００８０】
これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生することができる。こうして、発光するべき放電セルに書込み放電が発生し、走査電極ＳＣ１上に正極性の壁電圧が蓄積され、維持電極ＳＵ１上に負極性の壁電圧が蓄積され、データ電極Ｄｋ上にも負極性の壁電圧が蓄積される。
【００８１】
このようにして、１行目において発光するべき放電セルで書込み放電を発生して各電極上に壁電圧を蓄積する書込み動作を行う。一方、書込みパルスを印加しなかったデータ電極３２と走査電極ＳＣ１との交差部の電圧は放電開始電圧を超えないので、書込み放電は発生しない。
【００８２】
以上の書込み動作を、走査電極ＳＣ２、走査電極ＳＣ３、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【００８３】
続くサブフィールドＳＦ１の維持期間では、まず維持電極ＳＵ１〜維持電極ＳＵｎに電圧０（Ｖ）を印加するとともに走査電極ＳＣ１〜走査電極ＳＣｎに正極性の電圧Ｖｓの維持パルスを印加する。書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【００８４】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負極性の壁電圧が蓄積され、維持電極ＳＵｉ上に正極性の壁電圧が蓄積される。さらに、データ電極Ｄｋ上にも正極性の壁電圧が蓄積される。書込み期間において書込み放電が発生しなかった放電セルでは維持放電は発生せず、初期化期間の終了時における壁電圧が保たれる。
【００８５】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。維持放電を発生した放電セルでは、維持電極ＳＵｉと走査電極ＳＣｉとの電圧差が放電開始電圧を超える。これにより、再び維持電極ＳＵｉと走査電極ＳＣｉとの間に維持放電が発生し、維持電極ＳＵｉ上に負極性の壁電圧が蓄積され、走査電極ＳＣｉ上に正極性の壁電圧が蓄積される。
【００８６】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生する。
【００８７】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｒに向かって緩やかに上昇する傾斜波形電圧を走査電極ＳＣ１〜走査電極ＳＣｎに印加する。
【００８８】
走査電極ＳＣ１〜走査電極ＳＣｎへ印加する傾斜波形電圧が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正極性の壁電圧を残したまま、走査電極ＳＣｉおよび維持電極ＳＵｉ上の壁電圧が弱められる。
【００８９】
走査電極ＳＣ１〜走査電極ＳＣｎに印加する電圧が電圧Ｖｒに到達したら、走査電極ＳＣ１〜走査電極ＳＣｎへの印加電圧を電圧０（Ｖ）まで下降する。こうして、サブフィールドＳＦ１の維持期間における維持動作が終了する。
【００９０】
以上により、サブフィールドＳＦ１が終了する。
【００９１】
サブフィールドＳＦ２の初期化期間では、サブフィールドＳＦ１の初期化期間と同様の駆動電圧波形を各電極に印加して、選択初期化動作を行う。続く書込み期間も、サブフィールドＳＦ１の書込み期間と同様の駆動電圧波形を各電極に印加して書込み動作を行う。続く維持期間も、維持パルスの数を除いてサブフィールドＳＦ１の維持期間と同様の駆動電圧波形を各電極に印加して維持動作を行う。サブフィールドＳＦ３〜サブフィールドＳＦ４も、維持期間に発生する維持パルスの数を除き、サブフィールドＳＦ１と同様の駆動電圧波形を各電極に印加する。
【００９２】
フィールドの最後に発生するサブフィールドＳＦ５の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧Ｖｉ１を印加し、電圧Ｖｉ１から電圧Ｖｉ２に向かって緩やかに上昇する傾斜波形電圧を印加する。電圧Ｖｉ１は、維持電極ＳＵ１〜維持電極ＳＵｎに対して放電開始電圧未満の電圧に設定し、電圧Ｖｉ２は、放電開始電圧を超える電圧に設定する。
【００９３】
この傾斜波形電圧が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負極性の壁電圧が蓄積され、データ電極Ｄ１〜データ電極Ｄｍ上および維持電極ＳＵ１〜維持電極ＳＵｎ上には正極性の壁電圧が蓄積される。
【００９４】
サブフィールドＳＦ５の初期化期間の後半部では、維持電極ＳＵ１〜維持電極ＳＵｎには正極性の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負極性の電圧Ｖｉ４に向かって緩やかに下降する傾斜波形電圧を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【００９５】
この傾斜波形電圧を走査電極ＳＣ１〜走査電極ＳＣｎに印加する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負極性の壁電圧および維持電極ＳＵ１〜維持電極ＳＵｎ上の正極性の壁電圧が弱められ、データ電極Ｄ１〜データ電極Ｄｍ上の正極性の壁電圧は書込み動作に適した値に調整される。
【００９６】
以上により、サブフィールドＳＦ５の初期化期間における初期化動作、すなわち、全ての放電セルで強制的に初期化放電を発生する強制初期化動作が終了する。
【００９７】
サブフィールドＳＦ５の書込み期間では、各電極に対してサブフィールドＳＦ１〜サブフィールドＳＦ４の書込み期間と同様の駆動電圧波形を印加し、発光するべき放電セルの各電極上に壁電圧を蓄積する書込み動作を行う。
【００９８】
サブフィールドＳＦ５の維持期間では、サブフィールドＳＦ１〜サブフィールドＳＦ４の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。そして、維持パルスの発生後（維持期間の最後）には、電圧０（Ｖ）から電圧Ｖｒに向かって上昇する傾斜波形電圧を走査電極ＳＣ１〜走査電極ＳＣｎに印加する。
【００９９】
以上が、本実施の形態においてパネル１０の各電極に印加する駆動電圧波形の概要である。
【０１００】
このように、本実施の形態では、フィールドの最初に発生するサブフィールドＳＦ１を輝度重みの最も大きいサブフィールドとし、それ以降は輝度重みが順次小さくなるように各サブフィールドに輝度重みを設定し、フィールドの最後に発生するサブフィールドＳＦ５を輝度重みの最も小さいサブフィールドとする。
【０１０１】
また、フィールドの最後に発生するサブフィールドＳＦ５の初期化期間では、直前のサブフィールドの動作にかかわらず放電セルに初期化放電を発生する強制初期化動作を行い、サブフィールドＳＦ１〜サブフィールドＳＦ４の初期化期間では、直前のサブフィールドで書込み放電を発生した放電セルだけに初期化放電を発生する選択初期化動作を行う。
【０１０２】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｃ＝−３５（Ｖ）、電圧Ｖｓ＝１９０（Ｖ）、電圧Ｖｒ＝１９０（Ｖ）、電圧Ｖｅ１＝１２５（Ｖ）、電圧Ｖｅ２＝１３０（Ｖ）、電圧Ｖｄ＝６０（Ｖ）に設定している。
【０１０３】
また、本実施の形態では、サブフィールドＳＦ５の初期化期間において走査電極ＳＣ１〜走査電極ＳＣｎに印加する上り傾斜波形電圧はその勾配を１．５（Ｖ／μｓｅｃ）に設定し、下り傾斜波形電圧はその勾配を−２．５（Ｖ／μｓｅｃ）に設定し、サブフィールドＳＦ１〜サブフィールドＳＦ４の初期化期間において走査電極ＳＣ１〜走査電極ＳＣｎに印加する下り傾斜波形電圧はその勾配を−２．５（Ｖ／μｓｅｃ）に設定している。
【０１０４】
なお、上述した電圧値や勾配の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１０５】
次に、本実施の形態におけるプラズマディスプレイ装置を駆動する１フィールド期間のサブフィールド構成について説明する。
【０１０６】
図５は、本発明の実施の形態１におけるプラズマディスプレイ装置４０のサブフィールド構成およびシャッタ眼鏡５０の開閉動作を概略的に示す図である。
【０１０７】
図５には、書込み期間において最初に書込み動作を行う走査電極ＳＣ１、書込み期間において最後に書込み動作を行う走査電極ＳＣｎ、維持電極ＳＵ１〜維持電極ＳＵｎ、およびデータ電極Ｄ１〜データ電極Ｄｍのそれぞれに印加する駆動電圧波形と、右目用シャッタ５２Ｒおよび左目用シャッタ５２Ｌの開閉動作とを示す。また、図５には３つのフィールドを示す。
【０１０８】
本実施の形態においては、パネル１０に３Ｄ画像を表示するために、右目用フィールドと左目用フィールドとを交互に発生する。例えば、図５に示す３つのフィールドのうち、最初のフィールドと、３番目のフィールドは右目用フィールドであり、右目用画像信号をパネル１０に表示する。また、２番目のフィールドは左目用フィールドであり、左目用画像信号をパネル１０に表示する。
【０１０９】
また、シャッタ眼鏡５０を通してパネル１０に表示される３Ｄ画像を観賞する使用者には、２フィールドで表示される画像（右目用画像および左目用画像）が１枚の３Ｄ画像として認識される。そのため、使用者には、１秒間にパネル１０に表示される画像の数が、１秒間に表示されるフィールドの数の半分の数として観測される。例えば、パネルに表示される３Ｄ画像のフィールド周波数（１秒間に発生するフィールドの数）が６０Ｈｚのとき、使用者には、１秒間に３０枚の３Ｄ画像が観測されることになる。したがって、１秒間に６０枚の３Ｄ画像を表示するためには、フィールド周波数を６０Ｈｚの２倍の１２０Ｈｚに設定しなければならない。そこで、本実施の形態では、使用者に３Ｄ画像の動画像が滑らかに観測されるように、フィールド周波数（１秒間に発生するフィールドの数）を通常の２倍（例えば、１２０Ｈｚ）に設定している。
【０１１０】
右目用フィールド、左目用フィールドの各フィールドは、５つのサブフィールド（サブフィールドＳＦ１、サブフィールドＳＦ２、サブフィールドＳＦ３、サブフィールドＳＦ４、サブフィールドＳＦ５）を有する。またサブフィールドＳＦ１〜サブフィールドＳＦ５の各サブフィールドには、それぞれ（１６、８、４、２、１）の輝度重みが設定されている。
【０１１１】
このように、本実施の形態では、サブフィールドの発生順に輝度重みが順次小さくなるように各サブフィールドに輝度重みを設定した５つのサブフィールドで１つのフィールドを構成している。すなわち、フィールドの最初に輝度重みの最も大きいサブフィールドを発生し、２番目に輝度重みが２番目に大きいサブフィールドを発生し、３番目に輝度重みが３番目に大きいサブフィールドを発生し、４番目に輝度重みが４番目に大きいサブフィールドを発生し、フィールドの最後に輝度重みの最も小さいサブフィールドを発生する。また、フィールドの最後に発生するサブフィールドの初期化期間では強制初期化動作を行い、それ以外のサブフィールドの初期化期間では選択初期化動作を行う。
【０１１２】
シャッタ眼鏡５０の右目用シャッタ５２Ｒおよび左目用シャッタ５２Ｌは、制御信号出力部４６から出力されシャッタ眼鏡５０で受信されるシャッタ制御信号のオン・オフにもとづき、以下のようにシャッタの開閉動作が制御される。
【０１１３】
シャッタ眼鏡５０は、右目用フィールドのサブフィールドＳＦ１の書込み期間の開始時期Ｒｏに同期して右目用シャッタ５２Ｒを開き、同フィールドのサブフィールドＳＦ５の維持期間の終了時期Ｒｃに同期して右目用シャッタ５２Ｒを閉じる。またシャッタ眼鏡５０は、左目用フィールドのサブフィールドＳＦ１の書込み期間の開始時期Ｌｏに同期して左目用シャッタ５２Ｌを開き、同フィールドのサブフィールドＳＦ５の維持期間の終了時期Ｌｃに同期して左目用シャッタ５２Ｌを閉じる。
【０１１４】
したがって、シャッタ眼鏡５０は、右目用シャッタ５２Ｒが開いている期間は左目用シャッタ５２Ｌが閉じ、左目用シャッタ５２Ｌが開いている期間は右目用シャッタ５２Ｒが閉じる。さらに、右目用フィールドおよび左目用フィールドのいずれのフィールドにおいても、強制初期化動作が行われている期間は、右目用シャッタ５２Ｒおよび左目用シャッタ５２Ｌはともに閉じた状態となる。
【０１１５】
そして、右目用シャッタ５２Ｒおよび左目用シャッタ５２Ｌは、各フィールドで同様の動作を繰り返す。
【０１１６】
これにより、本実施の形態におけるプラズマディスプレイシステムでは、強制初期化動作によって発生する発光が、右目用シャッタ５２Ｒおよび左目用シャッタ５２Ｌによって遮られ、使用者の目に入らない状態となる。したがって、シャッタ眼鏡５０を通して３Ｄ画像を観賞する使用者には、強制初期化動作による発光が見えなくなり、その発光分の輝度が黒輝度において低減することとなる。こうして、使用者は、黒輝度を低減したコントラストの高い画像を観賞することが可能となる。
【０１１７】
なお、タイミング発生回路４５は、上述したシャッタの開閉動作を右目用シャッタ５２Ｒおよび左目用シャッタ５２Ｌが行うためのシャッタ制御信号を制御信号出力部４６が出力するようにタイミング信号を発生して、制御信号出力部４６に供給する。
【０１１８】
なお、本実施の形態において、上述した「シャッタを閉じた」状態とは、右目用シャッタ５２Ｒおよび左目用シャッタ５２Ｌが完全に閉じきった状態であることに限定されるものではない。また、上述した「シャッタを開いた」状態とは、右目用シャッタ５２Ｒおよび左目用シャッタ５２Ｌが完全に開ききった状態であることに限定されるものではない。
【０１１９】
本実施の形態では、上述したように各サブフィールドを発生してパネル１０を駆動するとともにシャッタ眼鏡５０を制御することにより、パネル１０に表示される３Ｄ画像をシャッタ眼鏡５０を通して観賞する使用者に対し、３Ｄ画像に生じるクロストークを抑制し、品質の高い３Ｄ画像を提供することが可能となる。以下にその理由について説明する。
【０１２０】
パネル１０で用いられている蛍光体層３５は、その蛍光体を構成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど減衰に要する時間も長くなる。
【０１２１】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１２２】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１２３】
右目用フィールドと左目用フィールドとを交互に発生してパネル１０に３Ｄ画像を表示するプラズマディスプレイ装置４０においては、１つのフィールドで発生した残光が続くフィールドに漏れ込むと、その残光は、画像信号とは関係のない不要な発光として使用者に観測されることとなる。この現象がクロストークである。
【０１２４】
したがって、１つのフィールドから次のフィールドに漏れ込む残光が増加するほど、クロストークは悪化し、３Ｄ画像の立体視は阻害され、プラズマディスプレイ装置４０における画像表示品質は劣化する。なお、この画像表示品質とは、シャッタ眼鏡５０を通して３Ｄ画像を観賞する使用者にとっての画像表示品質のことである。
【０１２５】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させることが望ましい。
【０１２６】
すなわち、フィールドの最初に輝度重みの最も大きいサブフィールドを発生し、以降、サブフィールドの発生順に輝度重みを小さくし、フィールドの最後のサブフィールドを輝度重みの最も小さいサブフィールドにして、次フィールドへの残光の漏れ込みをできるだけ低減することが望ましい。
【０１２７】
そこで、本実施の形態では、クロストークを抑制するために、サブフィールドＳＦ１を輝度重みの最も大きいサブフィールドとし、以降のサブフィールドは輝度重みを順次小さくする構成とする。
【０１２８】
しかしながら、上述したように１フィールドを構成し各サブフィールドを発生しても、次フィールドに漏れ込む蛍光体の残光を完全に抑制することは困難である。そこで、本実施の形態では、残光が発生したときに使用者に残像を視認し難くし、クロストークを抑制することを目的に、画像信号処理回路４１に残光抑制回路４８を設けている。
【０１２９】
図６は、本発明の実施の形態１におけるプラズマディスプレイ装置４０の残光抑制回路４８の一構成例を示す回路ブロック図である。残光抑制回路４８は、１垂直帰線期間遅延部（以下、「１Ｖディレイ」と記す）６１、加算値設定部６７、１Ｖディレイ６８、加算器６９、残光検出回路７０を有する。残光検出回路７０は、前フィールド用コンパレータ７２、現フィールド用コンパレータ７３、ＡＮＤゲート７４、カウンタ７５、残像画素数コンパレータ７６、１Ｖラッチ７７を有する。
【０１３０】
なお、本実施の形態において、残光検出回路７０で処理される信号は輝度信号である。したがって、本実施の形態では、画像信号（赤の画像信号、緑の画像信号、青の画像信号）は輝度の信号に変換されて残光検出回路７０に入力される。なお、輝度の階調値（Ｙ）は、例えば次の計算式に、赤の画像信号の階調値（Ｒ）、緑の画像信号の階調値（Ｇ）、青の画像信号の階調値（Ｂ）を代入することで算出することができる。（図６には、輝度の階調値（Ｙ）を算出する回路ブロックは示さず）
Ｙ＝０．２９９×Ｒ＋０．５８７×Ｇ＋０．１１４×Ｂ
ただし、輝度の階調値を求める計算式は何らこの計算式に限定されるものではなく、他の計算式で輝度の階調値を算出してもかまわない。
【０１３１】
１Ｖディレイ６１は、画像信号（輝度信号）が入力され、その入力された画像信号（輝度信号）を１垂直帰線期間だけ遅延する。したがって、入力された画像信号（輝度信号）を当該フィールド（現フィールド）の画像信号（輝度信号）とすると、１Ｖディレイ６１によって１垂直帰線期間だけ遅延した画像信号（輝度信号）は、当該フィールドの１フィールド前の画像信号（輝度信号）、すなわち前フィールドの画像信号（輝度信号）となる。例えば、現フィールドの画像信号（輝度信号）が右目用画像信号（輝度信号）であれば、１Ｖディレイ６１から出力される前フィールドの画像信号（輝度信号）は、左目用画像信号（輝度信号）である。また、現フィールドの画像信号（輝度信号）が左目用画像信号（輝度信号）であれば、１Ｖディレイ６１から出力される前フィールドの画像信号（輝度信号）は、右目用画像信号（輝度信号）である。
【０１３２】
前フィールド用コンパレータ７２は、前フィールドの画像信号の輝度の階調値と高階調閾値Ｃ１とを画素毎に比較する。そして、前フィールド用コンパレータ７２は、前フィールドの画像信号の輝度の階調値が高階調閾値Ｃ１以上であればハイレベルの信号（以下、「Ｈ」と表記する）を出力し、高階調閾値Ｃ１未満であればローレベルの信号（以下、「Ｌ」と表記する）を出力する。
【０１３３】
現フィールド用コンパレータ７３は、現フィールドの画像信号の輝度の階調値と低階調閾値Ｃ２とを画素毎に比較する。そして、現フィールドの画像信号の輝度の階調値が低階調閾値Ｃ２以下であれば「Ｈ」を出力し、低階調閾値Ｃ２より大きければ「Ｌ」を出力する。なお、本実施の形態においては、低階調閾値Ｃ２を「０」に設定している。したがって現フィールド用コンパレータ７３は、現フィールドの画像信号が黒を表示する場合、すなわち、輝度の階調値が「０」のときにだけ「Ｈ」を出力する。
【０１３４】
ＡＮＤゲート７４は、前フィールド用コンパレータ７２の出力と現フィールド用コンパレータ７３の出力との論理積演算を行い、その結果を出力する。したがって、ＡＮＤゲート７４は、前フィールド用コンパレータ７２の出力と現フィールド用コンパレータ７３の出力とがともに「Ｈ」のときに、「Ｈ」を出力する。すなわち、ＡＮＤゲート７４は、前フィールドの画像信号の輝度の階調値が高階調閾値Ｃ１以上であり、かつ現フィールドの画像信号の輝度の階調値が低階調閾値Ｃ２以下であれば「Ｈ」を出力する。そして、それ以外では「Ｌ」を出力する。
【０１３５】
カウンタ７５は、ＡＮＤゲート７４の出力をフィールド毎に計数する。したがって、カウンタ７５は、ＡＮＤゲート７４の出力が「Ｈ」となる画素の数をフィールド毎に計数する。なお、カウンタ７５は、垂直同期信号によりリセットされる。
【０１３６】
残像画素数コンパレータ７６は、カウンタ７５の出力と画素数閾値Ｎａとを比較し、カウンタ７５の出力が画素数閾値Ｎａ以上になると「Ｈ」を出力する。したがって、残像画素数コンパレータ７６は、ＡＮＤゲート７４の出力が「Ｈ」となる画素の数が画素数閾値Ｎａ以上となるフィールドで「Ｈ」を出力する。
【０１３７】
１Ｖラッチ７７は、カウンタ７５がＡＮＤゲート７４の出力を１フィールドの期間にわたって計数した結果における残像画素数コンパレータ７６の出力を、垂直同期信号にもとづき保持する。すなわち、１Ｖラッチ７７は、残像画素数コンパレータ７６の１フィールドにおける最終の出力を、垂直同期信号でラッチする。したがって、１Ｖラッチ７７の出力は、残像画素数コンパレータ７６の１フィールドにおける最終の出力を、次の１フィールドの期間にわたって保持する。
【０１３８】
したがって、１Ｖラッチ７７は、ＡＮＤゲート７４の出力が「Ｈ」となる画素の数が画素数閾値Ｎａ以上となるフィールドが発生すると、すなわち、カウンタ７５の１フィールドの最終出力が画素数閾値Ｎａ以上となるフィールドが発生すると、そのフィールドの次のフィールドでは、１フィールドの期間「Ｈ」を出力する。また、１Ｖラッチ７７は、ＡＮＤゲート７４の出力が「Ｈ」となる画素の数が画素数閾値Ｎａ未満となるフィールドが発生すると、すなわち、カウンタ７５の出力が画素数閾値Ｎａ未満のフィールドが発生すると、そのフィールドの次のフィールドでは、１フィールドの期間「Ｌ」を出力する。
【０１３９】
前フィールドで明るく発光し、現フィールドでは暗く発光する画素では残光が目立ちやすい。したがって、前フィールドで明るく発光し、現フィールドでは暗く発光する画素の数を計数し、その計数結果を画素数閾値Ｎａと比較することで、現フィールドにおいて残光が発生する領域の面積が大きいかどうかを判断することができる。こうして、残光検出回路７０は、残光が発生する領域の面積が大きいフィールドを検出する。
【０１４０】
加算値設定部６７は、１Ｖラッチ７７の出力が「Ｌ」であれば「０」を出力し、１Ｖラッチ７７の出力が「Ｈ」であれば「所定の階調値Ｋ」を出力する。加算値設定部６７からの出力は、加算値として後段の加算器６９に供給される。なお、所定の階調値Ｋは残光の強さと同程度、またはそれよりやや明るい値に設定することが望ましい。本実施の形態においては、所定の階調値Ｋを階調「３」に相当する値に設定している。
【０１４１】
１Ｖディレイ６８は、画像信号（赤の画像信号、緑の画像信号、青の画像信号）が入力され、その入力された画像信号を１垂直帰線期間だけ遅延する。
【０１４２】
上述したように、１Ｖラッチ７７は、１フィールド前の演算結果を出力する。すなわち、１Ｖラッチ７７は、前フィールドの画像信号の輝度の階調値が高階調閾値Ｃ１以上であり、かつ現フィールドの画像信号の輝度の階調値が低階調閾値Ｃ２以下である画素の数が画素数閾値Ｎａ以上となったときに、１フィールド遅れて次のフィールドで「Ｈ」を出力する。したがって、画像信号と１Ｖラッチ７７の出力とのタイミングを合わせる必要がある。１Ｖディレイ６８は、現フィールドの画像信号（赤の画像信号、緑の画像信号、青の画像信号）を１垂直帰線期間だけ遅延することにより、現フィールドの画像信号と１Ｖラッチ７７の出力との位相を揃えるために設けている。
【０１４３】
加算器６９は、１Ｖディレイ６８で１垂直帰線期間だけ遅延された現フィールドの画像信号の輝度の階調値に、加算値設定部６７の出力を加算する。
【０１４４】
なお、図６には示していないが、１Ｖディレイ６８から出力される画像信号（赤の画像信号、緑の画像信号、青の画像信号）は、一旦、輝度の信号（Ｙ）と、色差信号（Ｃ−Ｙ信号、または、Ｕ、Ｖ信号、または、Ｒ−Ｙ、Ｂ−Ｙ信号、または、Ｃｒ、Ｃｂ信号等）に変換される。そして、加算器６９では、その輝度の信号に加算値設定部６７の出力を加算する。そして、加算値設定部６７の出力が加算された輝度の信号と色差信号を、再度、赤の画像信号、緑の画像信号、青の画像信号に変換し、後段の画像データ変換回路４９に供給する。
【０１４５】
したがって、前フィールドの画像信号の輝度の階調値が高階調閾値Ｃ１以上であり、かつ現フィールドの画像信号の輝度の階調値が低階調閾値Ｃ２以下である画素の数が画素数閾値Ｎａ以上となるフィールドでは、残光抑制回路４８から出力される画像信号は、所定の階調値Ｋだけ輝度が増加した画像信号となる。
【０１４６】
次に、残光抑制回路４８の動作について説明する。なお、本実施の形態では、現フィールドの画像信号が左目用画像信号であり、前フィールドの画像信号が右目用画像信号であるものとして、以下の説明を行う。
【０１４７】
図７Ａ、図７Ｂ、図７Ｃ、図７Ｄ、図７Ｅは、画像信号の一例と、その画像信号をパネル１０に表示したときの表示画像の見え方を概略的に示す図である。図７Ａは、右目用フィールドで表示する右目用画像の一例を概略的に示す図である。図７Ｂは、左目用フィールドで表示する左目用画像の一例を概略的に示す図である。
【０１４８】
前フィールドを図７Ａで示した右目用画像信号とし、現フィールドを図７Ｂで示した左目用画像信号とすると、パネル１０には、図７Ａで示した右目用画像信号が表示された後に、図７Ｂで示した左目用画像信号が表示される。
【０１４９】
図７Ｃは、左目用画像に右目用画像の残像がクロストークしたときのパネル１０における表示画像の見え方の一例を概略的に示す図である。
【０１５０】
例えば、図７Ａおよび図７Ｂに示した画像信号を、本実施の形態で説明した残光抑制回路４８における画像信号処理を施さずに、そのままパネル１０に表示すると、図７Ｃに一例を示すように、右目用画像をパネル１０に表示したときの残光が残像として残り、左目用画像に右目用画像がクロストークすることがある。そして、このようなクロストークが発生すると、パネル１０に表示される３Ｄ画像をシャッタ眼鏡５０を通して観賞する使用者に対して、立体視を阻害する要因となる。
【０１５１】
しかしながら、本実施の形態においては、残光抑制回路４８が以下のように動作する。残光抑制回路４８に、図７Ｂに示した現フィールドの左目用画像信号が入力されると、１Ｖディレイ６１からは図７Ａに示した前フィールドの右目用画像信号が出力される。
【０１５２】
前フィールド用コンパレータ７２は、前フィールドの画像信号の輝度の階調値（図７Ａに示す例では、右目用画像信号の輝度の階調値）が高階調閾値Ｃ１以上であれば「Ｈ」を出力する。したがって、前フィールド用コンパレータ７２は、図７Ａに示す例では、白い円で示した領域（発光領域）の画素に対応する画像信号では「Ｈ」を出力し、その外側の領域（非発光領域）の画素に対応する画像信号では「Ｌ」を出力する。
【０１５３】
現フィールド用コンパレータ７３は、現フィールドの画像信号の輝度の階調値（図７Ｂに示す例では、左目用画像信号の輝度の階調値）が低階調閾値Ｃ２以下（本実施の形態では、輝度の階調値が「０」である黒を表示する画素）であれば「Ｈ」を出力する。したがって、現フィールド用コンパレータ７３は、図７Ｂに示す例では、白い円で示した領域（発光領域）の画素に対応する画像信号では「Ｌ」を出力し、その外側の領域（非発光領域）の画素に対応する画像信号では「Ｈ」を出力する。
【０１５４】
図７Ｄは、残光抑制回路４８のＡＮＤゲート７４が「Ｈ」を出力する領域の一例を概略的に示す図である。
【０１５５】
ＡＮＤゲート７４は、前フィールド用コンパレータ７２の出力と現フィールド用コンパレータ７３の出力とがともに「Ｈ」のときに「Ｈ」を出力する。したがって、ＡＮＤゲート７４は、図７Ａに示す右目用画像信号が前フィールド用コンパレータ７２に入力され、図７Ｂに示す左目用画像信号が現フィールド用コンパレータ７３に入力されるときには、図７Ｄに一例を示すように、図７Ａに示す右目用画像の発光領域にあり、かつ、図７Ｂに示す左目用画像の非発光領域にある画素に対応する画像信号（図７Ｄに示す三日月型の領域内に対応する画像信号）で「Ｈ」を出力する。
【０１５６】
ＡＮＤゲート７４は、前サブフィールドでは高階調閾値Ｃ１以上の明るさで発光し、現フィールドでは低階調閾値Ｃ２以下（本実施の形態では、黒）を表示する画素に対応する画像信号で「Ｈ」を出力する。すなわち、ＡＮＤゲート７４が「Ｈ」を出力する画像信号は、現フィールドで残像が発生することが予想される領域の画素に対応している。したがって、図７Ｄに示す三日月型の領域は、現フィールドで残像が発生することが予想される領域を示している。
【０１５７】
カウンタ７５は、ＡＮＤゲート７４の出力が「Ｈ」となる画素の数を計数することで、現フィールドで残像の発生が予想される画素の数を算出する。したがって、この算出値が大きければ、パネル１０において、現フィールドにおける残像の発生が予想される領域の面積は大きく、この算出値が小さければ、残像の発生が予想される領域の面積は小さい。
【０１５８】
残像画素数コンパレータ７６は、カウンタ７５における算出値が画素数閾値Ｎａ以上であれば「Ｈ」を出力する。言い換えれば、残像画素数コンパレータ７６は、残像の発生が予想される領域の面積が画素数閾値Ｎａに対応した面積以上になれば、「Ｈ」を出力する。
【０１５９】
１Ｖラッチ７７は、残像画素数コンパレータ７６の１フィールドにおける最終の出力を、垂直同期信号でラッチするので、その出力は、次の１フィールドの期間にわたって保持される。
【０１６０】
１Ｖディレイ６８は、１Ｖラッチ７７の出力と、画像信号との位相を合わせるために、現フィールドの画像信号を１垂直帰線期間だけ遅延する。
【０１６１】
加算器６９は、１Ｖディレイ６８の出力が「Ｈ」となるフィールドにおいて、１Ｖディレイ６８で１垂直帰線期間だけ遅延され、１Ｖラッチ７７の出力と位相を揃えられた現フィールドの画像信号（輝度の信号）に、所定の階調値Ｋを加算する。したがって、残像の発生が予想される画素の数が画素数閾値Ｎａ以上であるフィールド、すなわち、残像の発生が予想される領域が画素数閾値Ｎａによって規定される面積以上になるフィールドにおいて、画像信号（輝度の信号）に所定の階調値Ｋを加算する。
【０１６２】
このように、本実施の形態においては、当該フィールドの直前のフィールド（前フィールド）で高階調閾値Ｃ１以上の輝度の階調を表示し、かつ当該フィールド（現フィールド）で低階調閾値Ｃ２以下の輝度の階調を表示する画素の数が画素数閾値Ｎａ以上になるときには、当該フィールド（現フィールド）で表示する画像信号（輝度の信号）に所定の階調値Ｋを加算する。
【０１６３】
これにより、残像の発生が予想される領域の面積が大きいフィールドでは、画面全体にわたって所定の階調値Ｋの分だけ輝度が上昇するので、表示画像の画像信号の最も暗い領域の輝度（黒輝度）も上昇する。
【０１６４】
図７Ｅは、現フィールドの左目用画像（輝度の信号）に所定の階調値Ｋを加算したときのパネル１０における表示画像の見え方の一例を概略的に示す図である。
【０１６５】
図７Ｅに示すように、画像信号（輝度の信号）に所定の階調値Ｋを加算することで、パネル１０に表示される画像は画面全体にわたって所定の階調値Ｋの分だけ輝度が上昇し、画像信号の最も暗い領域の輝度（黒輝度）も所定の階調値Ｋの分だけ上昇する。これにより、表示画像のコントラストは低下するが、表示画像全体の輝度が上昇することで、使用者には残像が視認しにくくなる。
【０１６６】
本実施の形態では、このようにして、３Ｄ画像を表示する際のクロストークを抑制することができる。例えば、図７に示す例では、前フィールドの右目用画像の残像が現フィールドの左目用画像に混入するクロストークを抑制することができる。こうして、品質の高い３Ｄ画像をパネル１０に表示することが可能となる。
【０１６７】
上述の説明では、前フィールドが右目用画像であり、現フィールドが左目用画像である例を示したが、現フィールドの画像信号が右目用画像信号であり、前フィールドの画像信号が左目用画像信号となる場合も、残光抑制回路４８は、上述の説明の左右を入れ替えた動作を行い、前フィールドの左目用画像の残像が現フィールドの右目用画像に混入するクロストークを抑制することができる。
【０１６８】
なお、本実施の形態では、図４に示したように、サブフィールドＳＦ５の初期化期間で強制初期化動作を行い、他のサブフィールドの初期化期間で選択初期化動作を行う。これは以下に示すような理由による。
【０１６９】
明るい階調を表示する放電セルでは、１フィールドのうちの複数のサブフィールドで維持放電が発生する。したがって、その放電セルでは、それらの維持放電にともない十分な量のプライミング粒子が発生し、安定した書込み放電を発生することができる。しかし、暗い階調を表示する放電セル、特に、輝度重みの最も小さいサブフィールドＳＦ５だけを発光する放電セルでは、プライミング粒子が不足して書込み放電が不安定になりやすい。
【０１７０】
初期化放電や維持放電で発生した壁電荷およびプライミング粒子は時間の経過とともに徐々に失われてしまう。
【０１７１】
例えば、１フィールドの最終サブフィールド（例えば、サブフィールドＳＦ５）における壁電荷およびプライミング粒子を、途中のサブフィールド（例えば、サブフィールドＳＦ１〜サブフィールドＳＦ４のいずれか１つまたは複数のサブフィールド）で書込み動作を行う放電セルと、途中のサブフィールドで書込み動作を行わない放電セルとで比較する。その場合、壁電荷およびプライミング粒子は、途中のサブフィールドで書込み動作を行わない放電セルの方が少なくなる。
【０１７２】
途中のサブフィールドで書込み動作を行う放電セルでは、書込み動作にともなう維持放電が発生して壁電荷およびプライミング粒子が発生する。しかし、途中のサブフィールドで書込み動作を行わない放電セルでは、サブフィールドＳＦ１から最終サブフィールドの直前まで維持放電が発生しない。そのため、壁電荷およびプライミング粒子が発生する機会がなく、その結果、放電セル内の壁電荷およびプライミング粒子はより多く減少してしまう。したがって、最終サブフィールドにおける書込み動作が不安定になるおそれがある。
【０１７３】
また、輝度重みの最も大きいサブフィールドは、明るい階調を表示する放電セルでは維持放電が発生するが、暗い階調を表示する放電セルでは維持放電が発生しない。例えば、暗い図柄の画像をパネル１０に表示すると、輝度重みの最も大きいサブフィールドで全く維持放電が発生しないこともある。また、一般的に視聴される動画においては、輝度重みの小さいサブフィールドほど発光する放電セルの数が多くなることが実験的に確認されている。そのため、画像の図柄にもよるが、一般的な動画をパネル１０に表示する場合、輝度重みの最も小さいサブフィールドは、輝度重みの最も大きいサブフィールドよりも維持放電が発生する確率が高いと言える。言い換えると、輝度重みの最も大きいサブフィールドは輝度重みの最も小さいサブフィールドよりも維持放電が発生する確率が低い。
【０１７４】
したがって、サブフィールドＳＦ１の輝度重みを最も大きくし、それ以降、最終サブフィールドに向かって輝度重みを順次小さくする構成では、サブフィールドＳＦ１で維持放電が発生する確率が低くなるため、最終サブフィールドでの書込み動作が不安定になる放電セルが発生するおそれがある。
【０１７５】
しかし、サブフィールドＳＦ５の初期化期間において強制初期化動作を行うと、強制初期化動作で生じたプライミング粒子が残存する間にサブフィールドＳＦ５の書込み動作を行って書込み放電を発生することができる。したがって、最も輝度重みの小さいサブフィールドＳＦ５のみで発光させる放電セルであっても安定した書込み放電を発生させることが可能になる。
【０１７６】
また、サブフィールドＳＦ５以外のサブフィールドの初期化期間では強制初期化動作ではなく選択初期化動作を行うことで、初期放電にともない生じる発光を抑え、黒の輝度を低減し、表示画像のコントラストを向上することができる。
【０１７７】
なお、本実施の形態では、各フィールドの最後に発生するサブフィールドを、最も輝度重みが小さく、かつ強制初期化動作を行うサブフィールドとする構成を説明した。このような構成であれば、黒を表示する画像信号（輝度の信号）に所定の階調値Ｋを加算することにより、フィールドの最後に発生するサブフィールドで書込み放電および維持放電を発生させることができる。
【０１７８】
そして、サブフィールドＳＦ５で行う書込み動作は、強制初期化動作に続いて行う書込み動作であるので、この書込み動作による書込み放電を安定に発生することができる。さらに、この書込み放電に続いて行う維持動作による維持放電で発生するプライミング粒子により、次のフィールドにおける書込み動作を安定に行うことができる。
【０１７９】
しかし、本発明は上述したサブフィールドの構成に限定されるものではなく、他のサブフィールドの構成であっても、本実施の形態に示した構成を適用することができる。例えば、各フィールドの最初に強制初期化動作を行うサブフィールドを発生する構成であってもよい。また、フィールドの最初に輝度重みが最も小さいサブフィールドを発生し、次に輝度重みが最も大きいサブフィールドを発生し、それ以降は輝度重みが順次小さくなるように各サブフィールドに輝度重みを設定する構成であってもよい。
【０１８０】
（実施の形態２）
実施の形態１では、残像の発生が予想される画素の数が画素数閾値Ｎａ以上となるフィールドで、１フィールド分の画像信号（輝度の信号）に所定の階調値Ｋを加算することでクロストークを抑制する構成を説明した。しかし、本発明は、クロストークを抑制する方法が、何らこの方法に限定されるものではない。
【０１８１】
例えば、パネル１０の画像表示領域を複数の表示ブロックに分割し、それぞれの表示ブロックに対して、残像の発生が予想される画素の数を計数する。そして、計数の結果が大きい表示ブロックでは、そのフィールドにおいて、画像信号（輝度の信号）に所定の階調値Ｋを加算し、輝度を上昇することで、クロストークを抑制することも可能である。本実施の形態では、そのような構成の一例を説明する。
【０１８２】
図８Ａ、図８Ｂは、本発明の実施の形態２におけるパネル１０を複数の表示ブロックに分割する例を概略的に示す図である。図８Ａ、図８Ｂには、パネル１０の画像表示領域を行方向および列方向にそれぞれ８分割し、パネル１０の画像表示領域に６４（８×８＝６４）の表示ブロックを設けた例を示している。また、図８Ａに示すように、本実施の形態では、それぞれの表示ブロックに（行番号，列番号）で示すアドレスを付与している。
【０１８３】
なお、図８Ａ、図８Ｂに示すパネル１０を分割する破線および、図８Ａに示す各表示ブロック内のアドレスは、以下の説明をわかりやすくするために示したものであり、実際にこれらの破線やアドレスがパネル１０に表示されるわけではない。
【０１８４】
実施の形態２では、図８Ａ、図８Ｂに示すように、パネル１０の画像表示領域を複数の表示ブロックに分割する。
【０１８５】
そして、当該フィールドの直前のフィールド（前フィールド）では高階調閾値Ｃ１以上で輝度の階調を表示し、かつ当該フィールド（現フィールド）では低階調閾値Ｃ２以下で輝度の階調を表示する画素の数を表示ブロック毎に計数し、画素数閾値Ｎｂと比較する。そして、その画素の数が画素数閾値Ｎｂ以上存在する表示ブロックでは、当該フィールド（現フィールド）で表示する画像信号（輝度信号）に第１の階調値Ｋ１を加算する。さらに、当該フィールド（現フィールド）で第１の階調値Ｋ１を加算しない表示ブロックであって、かつ当該フィールド（現フィールド）で第１の階調値Ｋ１を加算する表示ブロックに隣接する表示ブロックでは、当該フィールド（現フィールド）で表示する画像信号（輝度信号）に第１の階調値Ｋ１よりも小さい第２の階調値Ｋ２を加算する。
【０１８６】
以下、前フィールドでは図７Ａに示した右目用画像を表示する右目用画像信号が残光抑制回路に入力され、現フィールドでは図７Ｂに示した左目用画像を表示する左目用画像信号が残光抑制回路に入力される場合の例を説明する。
【０１８７】
図８Ａ、図８Ｂに示すように、前フィールドで図７Ａに示した右目用画像信号が残光抑制回路に入力されたとすると、アドレスが（１，１）〜（８，１）、（１，２）〜（８，２）、（１，３）〜（８，３）、（１，８）〜（８，８）、（１，４）〜（１，７）、（８，４）〜（８，７）、（２，４）、（２，７）、（７，４）、（７，７）の表示ブロックは、前フィールドで非発光となる。言い換えると、それらの表示ブロックでは、前フィールドで、高階調閾値Ｃ１以上の輝度で発光する画素はない。そのため、それらの表示ブロックでは、残光は発生しない。
【０１８８】
アドレスが（３，４）、（４，４）、（５，４）、（６，４）である表示ブロックでは、前フィールドで発光した画素は、現フィールドでも発光する。言い換えると、それらの表示ブロックでは、前フィールドで、高階調閾値Ｃ１以上の輝度で発光する画素は、現フィールドで低階調閾値Ｃ２よりも高い輝度で発光する。したがって、たとえ前フィールドで残光が発生したとしても、その残光が、使用者に残像として認識されることはない。
【０１８９】
しかし、アドレスが（３，６）、（４，６）、（５，６）、（６，６）の各表示ブロックに含まれる画素は、前フィールドで発光し、現フィールドでは発光しない。また、アドレスが（２，５）、（２，６）、（３，５）、（３，７）、（４，５）、（４，７）、（５，５）、（５，７）、（６，５）、（６，７）、（７，５）、（７，６）の各表示ブロックには、前フィールドで発光し現フィールドでは発光しない画素が含まれる。言い換えると、それらの表示ブロックでは、前フィールドで、高階調閾値Ｃ１以上の輝度で発光し、現フィールドでは低階調閾値Ｃ２以下の輝度で発光する画素が含まれる。したがって、それらの画素で残光が発生すると、その残光による残像が使用者に認識されるおそれがある。
【０１９０】
そして、実施の形態２においては、残像が使用者に認識されるおそれのある表示ブロック、すなわち、前フィールドで、高階調閾値Ｃ１以上の輝度で発光し、現フィールドでは低階調閾値Ｃ２以下の輝度で発光する画素が画素数閾値Ｎｂ以上存在する表示ブロックでは、実施の形態１と同様に、現フィールドの画像信号（輝度信号）に第１の階調値Ｋ１を加算する。
【０１９１】
さらに、実施の形態２においては、残像が使用者に認識されるおそれのない表示ブロックであっても、画像信号（輝度信号）に第１の階調値Ｋ１を加算する表示ブロックに隣接する表示ブロックでは、現フィールドの画像信号（輝度信号）に第２の階調値Ｋ２を加算する。なお、画像信号（輝度信号）に第１の階調値Ｋ１を加算する表示ブロックに隣接する表示ブロックであっても、現フィールドでほぼ全ての画素が低階調閾値Ｃ２よりも高い輝度で発光する表示ブロック（例えば、９０％以上の画素が低階調閾値Ｃ２よりも高い輝度で発光する表示ブロック）では、現フィールドの画像信号（輝度信号）に第２の階調値Ｋ２を加算しない。
【０１９２】
図８Ａ、図８Ｂに示した例では、第１の階調値Ｋ１を画像信号（輝度信号）に加算する表示ブロックは、アドレスが（３，６）、（４，６）、（５，６）、（６，６）、（２，５）、（２，６）、（３，５）、（３，７）、（４，５）、（４，７）、（５，５）、（５，７）、（６，５）、（６，７）、（７，５）、（７，６）の各表示ブロックである。
【０１９３】
そして、第２の階調値Ｋ２を加算する表示ブロックは、アドレスが（２，４）、（１，５）、（１，６）、（２，７）、（３，８）、（４，８）、（５，８）、（６，８）、（７，７）、（８，６）、（８，５）、（７，４）の各表示ブロックである。
【０１９４】
ただし、アドレスが（３，４）、（４，４）、（５，４）、（６，４）の各表示ブロックは、現フィールドでほぼ全ての画素が発光する表示ブロックとなるので、現フィールドの画像信号（輝度信号）に第２の階調値Ｋ２を加算しない。
【０１９５】
このように実施の形態２においては、当該フィールドの直前のフィールド（前フィールド）では高階調閾値Ｃ１以上で輝度の階調を表示し、かつ当該フィールド（現フィールド）では低階調閾値Ｃ２以下で輝度の階調を表示する画素の数を表示ブロック毎に計数する。そして、その画素の数を画素数閾値Ｎｂと比較し、その画素の数が画素数閾値Ｎｂ以上存在する表示ブロックでは、当該フィールド（現フィールド）で表示する画像信号（輝度信号）に第１の階調値Ｋ１を加算する。さらに、当該フィールド（現フィールド）で第１の階調値Ｋ１を加算しない表示ブロックであって、かつ当該フィールド（現フィールド）で第１の階調値Ｋ１を加算する表示ブロックに隣接する表示ブロックでは、当該フィールド（現フィールド）で表示する画像信号（輝度信号）に第１の階調値Ｋ１よりも小さい第２の階調値Ｋ２を加算する。
【０１９６】
図８Ｃは、本発明の実施の形態２におけるパネル１０の各表示ブロックに画像信号に応じて第１の階調値Ｋ１または第２の階調値Ｋ２を加算するときの表示画像の見え方を概略的に示す図である。
【０１９７】
図８Ｃには、図８Ｂに示した結果に応じて、パネル１０の各表示ブロックにおいて、左目用画像を表示する現フィールドの画像信号（輝度信号）に第１の階調値Ｋ１または第２の階調値Ｋ２を加算したときの表示画像の見え方の一例を示している。
【０１９８】
本実施形態では、第２の階調値Ｋ２を第１の階調値Ｋ１より小さい値に設定する。これにより、図８Ｃに一例を示すように、画像信号（輝度信号）に第１の階調値Ｋ１を加算した表示ブロックと、第１の階調値Ｋ１を加算しなかった表示ブロックとの間に、第１の階調値Ｋ１よりも小さい第２の階調値Ｋ２を加算した表示ブロックが挟まれることになるので、輝度の変化を滑らかにし、第１の階調値Ｋ１を加算した表示ブロックと、第１の階調値Ｋ１を加算しなかった表示ブロックとの境界を目立ちにくくすることができる。
【０１９９】
次に、本実施の形態における残光抑制回路の構成について説明する。
【０２００】
図９は、本発明の実施の形態２におけるプラズマディスプレイ装置の残光抑制回路１４８の一構成例を示す回路ブロック図である。
【０２０１】
残光抑制回路１４８は、１Ｖディレイ６１、加算値設定部１６７、１Ｖディレイ６８、加算器６９、複数の残光検出回路１７０を有する。残光抑制回路１４８において、残光検出回路１７０は表示ブロックと同じ数だけ設けられている。したがって、パネル１０の画像表示領域を行方向および列方向にそれぞれ８分割し、パネル１０の画像表示領域に６４（８×８＝６４）の表示ブロックを設ける構成では、残光抑制回路１４８には、６４個の残光検出回路１７０、すなわち、残光検出回路１７０（１，１）〜残光検出回路１７０（８，８）が設けられる。
【０２０２】
残光抑制回路１４８において、１Ｖディレイ６１、１Ｖディレイ６８、加算器６９の各回路は、実施の形態１における残光抑制回路４８の１Ｖディレイ６１、１Ｖディレイ６８、加算器６９と同じ動作を行う。
【０２０３】
複数の残光検出回路１７０のそれぞれは、（図９に示す例では、残光検出回路１７０（１，１）〜残光検出回路１７０（８，８）のそれぞれは）、実施の形態１における残光検出回路７０と同じ回路構成であり、同じ動作を行う。ただし、残像画素数コンパレータ７６において比較されるのは、カウンタ７５の出力と画素数閾値Ｎｂ（画素数閾値Ｎｂは、画素数閾値Ｎａよりも小さい数値）である。
【０２０４】
そして、各残光検出回路１７０は、それぞれの表示ブロックにおいて、当該フィールドの直前のフィールド（前フィールド）では高階調閾値Ｃ１以上の輝度で発光し、かつ当該フィールド（現フィールド）では低階調閾値Ｃ２以下の輝度で発光する画素の数を計数する。そして、その画素の数を画素数閾値Ｎｂと比較し、その画素の数が画素数閾値Ｎｂ以上になるフィールドでは「Ｈ」を出力し、その画素の数が画素数閾値Ｎｂ未満のフィールドでは「Ｌ」を出力する。
【０２０５】
なお、本実施の形態において、画素数閾値Ｎｂは画素数閾値Ｎａよりも小さい数値であり、例えば、（画素数閾値Ｎｂ）＝（画素数閾値Ｎａ）／６４である。
【０２０６】
以上のように、各残光検出回路１７０は、残光の発生が予想される画素の数が多い（画素数閾値Ｎｂ以上の）フィールドで「Ｈ」を出力し、残光の発生が予想される画素の数が少ない（画素数閾値Ｎｂ未満の）フィールドで「Ｌ」を出力する。
【０２０７】
加算値設定部１６７は、１Ｖディレイ６８が出力する画像信号のうち、残光検出回路１７０が「Ｈ」を出力した表示ブロックに対応するタイミングで、画像信号（輝度信号）に第１の階調値Ｋ１を加算する。さらに、残光検出回路１７０が「Ｈ」を出力した表示ブロックに隣接する表示ブロックで残光検出回路１７０が「Ｌ」を出力したときには、その表示ブロックに対応するタイミングで、画像信号（輝度信号）に第２の階調値Ｋ２を加算する。これにより、例えば図８Ｃに一例を示したように、画像信号（輝度信号）に第１の階調値Ｋ１を加算した表示ブロックと、第１の階調値Ｋ１を加算しなかった表示ブロックとの境界を目立ちにくくすることができる。
【０２０８】
なお、本実施の形態においては、パネル１０の画像表示領域を行方向および列方向にそれぞれ８分割し、合計で６４の表示ブロックに分割する例を示した。しかし、本発明は表示ブロックが何らこの分け方に限定されるものではない。例えば、行方向および列方向にそれぞれ１６分割し、合計１６×１６＝１２８の表示ブロックに分割してもよい。あるいは、パネル１０の画像表示領域を別の方法で分割してもよい。
【０２０９】
なお、実施の形態１、実施の形態２においては、１つのフィールドを５つのサブフィールドで構成する例を説明した。しかし、本発明は１フィールドを構成するサブフィールドの数が何ら上記の数に限定されるものではない。例えば、サブフィールドの数を５よりも多くすることで、パネル１０に表示できる階調の数をさらに増加することができる。
【０２１０】
また、実施の形態１、実施の形態２においては、サブフィールドの輝度重みを「２」のべき乗とし、サブフィールドＳＦ１〜サブフィールドＳＦ５の各サブフィールドの輝度重みを（１６、８、４、２、１）に設定する例を説明した。しかし、各サブフィールドに設定する輝度重みは、何ら上記の数値に限定されるものではない。例えば、（１２、７、３、２、１）等として階調を決めるサブフィールドの組合せに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置４０の仕様等に応じて適宜設定すればよい。
【０２１１】
なお、本実施の形態では、残光抑制回路４８において輝度の階調値を用いて各演算を行う構成を説明したが、本発明は何らこの構成に限定されるものではない。例えば、輝度の階調値に代えて、画素毎に、赤の画像信号の階調値（Ｒ）と緑の画像信号の階調値（Ｇ）と青の画像信号の階調値（Ｂ）との加算値、または平均値を求め、残光抑制回路４８における各演算に用いる構成であってもよい。あるいは、赤の画像信号用の残光抑制回路４８Ｒ、緑の画像信号用の残光抑制回路４８Ｇ、青の画像信号用の残光抑制回路４８Ｂと３つの残光抑制回路４８を設け、赤の画像信号、緑の画像信号、青の画像信号のそれぞれに対して上述と同様の演算を行う構成であってもよい。
【０２１２】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０２１３】
なお、本実施の形態では、１画素をＲ、Ｇ、Ｂの３色の放電セルで構成する例を説明したが、１画素を４色あるいはそれ以上の色の放電セルで構成するパネルにおいても、本実施の形態に示した構成を適用することは可能であり、同様の効果を得ることができる。
【０２１４】
なお、上述した駆動回路は一例を示したものであり、駆動回路の構成は上述した構成に限定されるものではない。
【０２１５】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０２１６】
本発明は、３Ｄ画像表示装置として使用可能なプラズマディスプレイ装置において、パネルに表示される３Ｄ画像をシャッタ眼鏡を通して観賞する使用者に対して、クロストークを低減し、画像表示品質を高めることができるので、プラズマディスプレイ装置の駆動方法、プラズマディスプレイ装置、およびプラズマディスプレイシステムとして有用である。
【符号の説明】
【０２１７】
１０    パネル
２１    前面基板
２２    走査電極
２３    維持電極
２４    表示電極対
２５，３３    誘電体層
２６    保護層
３１    背面基板
３２    データ電極
３４    隔壁
３５    蛍光体層
４０    プラズマディスプレイ装置
４１    画像信号処理回路
４２    データ電極駆動回路
４３    走査電極駆動回路
４４    維持電極駆動回路
４５    タイミング発生回路
４６    制御信号出力部
４８，１４８    残光抑制回路
４９    画像データ変換回路
５０    シャッタ眼鏡
５２Ｒ    右目用シャッタ
５２Ｌ    左目用シャッタ
６１，６８    １Ｖディレイ
６７，１６７    加算値設定部
６９    加算器
７０，１７０    残光検出回路
７２    前フィールド用コンパレータ
７３    現フィールド用コンパレータ
７６    残像画素数コンパレータ
７４    ＡＮＤゲート
７５    カウンタ
７７    １Ｖラッチ
【図１】
2011108261.tif 000003
【図２】
2011108261.tif 000004
【図３】
2011108261.tif 000005
【図４】
2011108261.tif 000006
【図５】
2011108261.tif 000007
【図６】
2011108261.tif 000008
【図７Ａ】
2011108261.tif 000009
【図７Ｂ】
2011108261.tif 000010
【図７Ｃ】
2011108261.tif 000011
【図７Ｄ】
2011108261.tif 000012
【図７Ｅ】
2011108261.tif 000013
【図８Ａ】
2011108261.tif 000014
【図８Ｂ】
2011108261.tif 000015
【図８Ｃ】
2011108261.tif 000016
【図９】
2011108261.tif 000017
【手続補正書】
【提出日】平成24年3月5日(2012.3.5)
【手続補正１】
【補正対象書類名】図面
【補正対象項目名】図９
【補正方法】変更
【補正の内容】
【図９】
2011108261.tif 000018
【国際調査報告】
2011108261.tif 000019
2011108261.tif 000020
2011108261.tif 000021
2011108261.tif 000022